(57)【要約】【課題】レーザー墨出し器を用いた墨出し作業において正しい地墨点のみを表示させることができる三脚を提供する。【解決手段】レーザー墨出し器（１）を固定保持する雲台（２）と、この雲台（２）の下面につながり該雲台（２）を支えるセンターポスト（３）と、このセンターポスト（３）を昇降可能に保持して該レーザー墨出し器（１）を所望の上下レベルに維持する基台（４）と、この基台（４）に揺動可能に連結しその最下端を接地させて基台を支える脚部（５）とを備えた三脚において、前記センターポスト（３）に、雲台の下端より射出させた地墨点用レーザービームを通過させる貫通路（３ａ）を設け、この貫通路（３ａ）の側壁に凹凸（３ｂ）を形成して該側壁に接触するレーザービームを乱反射させる。【選択図】図１
2005049198.tif 000002
【特許請求の範囲】
【請求項１】
レーザー墨出し器を固定保持する雲台と、この雲台の下面につながり該雲台を支えるセンターポストと、このセンターポストを昇降可能に保持して該レーザー墨出し器を所望の上下レベルに維持する基台と、この基台に揺動可能に連結しその最下端を接地させて基台を支える脚部とを備えた三脚であって、
前記センターポストに、雲台の下端より射出させた地墨点用レーザービームを通過させる貫通路を設け、この貫通路の側壁に乱反射用の凹凸を形成してなることを特徴とする三脚。
【請求項２】
前記凹凸が、貫通路に平行に伸延し相互に間隔をおいて配列された複数の縦溝によって形成されたものである請求項１記載の三脚。
【請求項３】
前記凹凸が、貫通路の周りに沿って伸延する複数の横溝によって形成されたものである請求項１記載の三脚。
【発明の詳細な説明】
【技術分野】
【０００１】
本発明はレーザー墨出し器を装着するのに好適な三脚に関するものであり、とくに、該レーザー墨出し器から射出されたレーザービームによって地墨点を正しく表示しようとするものである。
【背景技術】
【０００２】
土木、建築の分野で行われる墨出し作業では近年、レーザー墨出し器が使用されており、これにより正確でしかも迅速な墨出し作業が行えるようになってきている。
【０００３】
かかるレーザー墨出し器は、三脚の雲台に設置して使用するのが普通であり、墨出しの際の基準点となる地墨点を表示するに当たっては、雲台につながるセンターポストに設けられた貫通孔を通してレーザービームを地面に向けて射出、表示するようにしていた（例えば、非特許文献１参照）。
【０００４】
【非特許文献１】マイゾックスのレーザー墨出器＆測量機のカタログ．エレベータ三脚（ＥＬＴ-15ＳＬＡ、ＥＬＴ-33ＳＬＡ）
【発明の開示】
【発明が解決しようとする課題】
【０００５】
ところで、レーザー墨出し器は本来、三脚が多少傾いた状態で設置されてもレーザービームを正しい位置に射出、表示できるように傾き補正機構が内蔵されているところ、この補正機構の作動範囲を大きく越えるように三脚が設置された場合に墨点用のレーザービームはセンターポストの貫通路内でその壁面に当たってしまうことがあった。
【０００６】
レーザービームが貫通路内に当たってしまうと、その入射角度によっては地墨点が地面に表示されないこともあり、この場合には、三脚の設置位置を再度調整する必要がある一方、入射角度が比較的小さい場合には、貫通路の壁面でレーザービームが反射してあたかも正常な地墨点であるかのように誤った位置に表示されることがあり、このような状態で表示された地墨点を基準とした場合には正しい墨出し作業ができないおそれがあった。
【０００７】
本発明の課題は、貫通路内で反射して地面に照射されるレーザービームを取り除いて正しい地墨点のみを地面上に射出、表示できる新規な三脚を提案するところにある。
【課題を解決するための手段】
【０００８】
本発明は、レーザー墨出し器を固定保持する雲台と、この雲台の下面につながり該雲台を支えるセンターポストと、このセンターポストを昇降可能に保持して該センターポストを所望の上下レベルにて維持する基台と、この基台に揺動可能に連結しその最下端を接地させて基台を支える脚部とを備えた三脚であって、
前記センターポストに、雲台の下端より射出させた地墨点用レーザービームを通過させる貫通路を設け、この貫通路の側壁に乱反射用の凹凸を形成してなることを特徴とする三脚である。
【０００９】
上記の構成になる三脚において、凹凸は貫通路に平行に伸延し相互に間隔をおいて配列される複数の縦溝によって形成されたものが好ましい。
【００１０】
また、該凹凸は貫通路の周りに沿って伸延する複数の横溝によって形成されたものとしてもよい。
【発明の効果】
【００１１】
本発明によれば、地墨点を表示するレーザービームがセンターポストの貫通路内でその壁面に接触した場合に該ビームは凹凸によって乱反射されるため、貫通路を経て地面に到達することがないので、不正確な地墨点に基づいて墨出し作業を行うことがない。
【発明を実施するための最良の形態】
【００１２】
以下、図面を用いて本発明をより具体的に説明する。
【００１３】
図１は本発明に従う三脚をレーザー墨出し器を装着した状態で示した外観斜視図であり、図２（ａ）（ｂ）はセンターポストの断面をその平面および側面視でそれぞれ示したものである。
【００１４】
図において１はレーザー墨出し器、２はレーザー墨出し器１をねじ止めの如き係合手段にて固定保持する雲台である。この雲台２はレーザー墨出し器１の底部から射出される地墨点表示用のレーザービームを通過させるための開口（図示せず）が設けられている。
【００１５】
また、３は雲台２の下面につながり該雲台２を支えるセンターポスト、４はセンターポスト３を昇降可能に保持してレーザー墨出し器１を所望の上下レベルに維持する基台であって、この基台４はベース４ａとこのベース４ａに一体的につながりセンターポスト３を内装してガイドする中空体４ｂからなる。そして５は基台４に揺動可能に連結してその最下端を接地させて該基台４を支える脚長可変式の脚部である。
【００１６】
センターポスト３はその断面を図２に示したように雲台２の開口につながる貫通路３ａを有しており、その開口を通して射出された地墨用レーザービームＢを通過させることができるようになっていて、その側面には、該レーザービームＢが接触した時に貫通路３ａ内で乱反射させるための凹凸３ｂが形成されている。
【００１７】
レーザー墨出し器１は、それ自体が多少傾いても、射出されたビームが常に正しい箇所で表示されるようによう傾き補正機構が内蔵されており、三脚を設置するに際して該三脚が大きく傾いた状態で設置された場合では図３に示すようにレーザービームＢが貫通路内で反射てそれが地面にレーザービームのポイントＰ′を形成、表示することがあり、これは正しい地墨点Ｐからずれたものであるから、この地墨点Ｐ′を基準に墨出しを行った場合には正しい墨出しができないことになる。
【００１８】
本発明に従う三脚は、センターポスト３の貫通路３ａに凹凸３ｂが設けられているため、図４に示すようにレーザービームＢが貫通路３ａの側面に当たっても乱反射するためレーザービームＢがポイントＰ′として地面に表示されることがない。
【００１９】
貫通路３ａ内の凹凸３ｂは、この例では該貫通路３ａに沿い平行に伸延し相互に間隔をおいて配列された複数の縦溝によって形成することができるが、本発明はこれにのみ限られるわけではなく、図５に示すように横溝を設けるか、あるいは、図６に示すように螺旋状の溝（雌ねじ）を設けることによって形成することもできる。
【００２０】
レーザービームを乱反射させる手段としてはこの他に、貫通路３ａの壁面にブラスト処理や腐蝕処理等を施して表面を粗すような加工を行ってももちろんよいし、砂粒をまんべんなく接着させてもよい。また、ビームが反射することのないシートを貼着するか、あるいは、ビームが反射することのない塗装を施しても同等の効果が期待できる。
【００２１】
センターポスト３は、この発明の実施の形態では、基台４に昇降可能に保持されるものとして説明したが、これは基台４に固定される形式のものであってもよく、この点については限定されない。
【産業上の利用可能性】
【００２２】
墨出し器より射出されたレーザービームが貫通路の壁面に接触しても該ビームは貫通路内で乱反射するため誤った墨出し作業が行われることがない。
【００２３】
また、部品点数が増えたり加工工程が大幅に増加することもないのでコスト的にもほとんど影響せず、安価な三脚を提供できる。
【図面の簡単な説明】
【００２４】
【図１】本発明に従う三脚の外観斜視図である。
【図２】（ａ）（ｂ）は図１に示したセンターポストの断面を示した図である。
【図３】レーザービームが貫通路内で反射して地墨点を形成する状態を示した図である。
【図４】レーザービームが貫通路内で乱反射している状態を示した図である。
【図５】センターポストの貫通路の壁面に横溝を設けた例を示した図である。
【図６】センターポストの貫通路の壁面に螺旋状の溝を設けた例を示した図である。
【符号の説明】
【００２５】
１  レーザー墨出し器
２  雲台
３  センターポスト
３ａ  貫通路
３ｂ  凹凸
４  基台
５  脚部
Ｂ  レーザービーム
Ｐ  レーザービームのポイント
Ｐ′  レーザービームのポイント
【図１】
2005049198.tif 000003
【図２】
2005049198.tif 000004
【図３】
2005049198.tif 000005
【図４】
2005049198.tif 000006
【図５】
2005049198.tif 000007
【図６】
2005049198.tif 000008